(57)【特許請求の範囲】
【請求項１】
屋外に堆積された堆積山に散水することによって堆積山から粉塵が飛散することを防止する飛散防止散水方法であって、堆積山の表面を散水装置の散水範囲毎にブロックに分割し、所定時間毎に堆積山を、前記散水装置とは独立して動くことが可能な水分計によって走査して各ブロックの水分量データを採取し、採取された水分量データから各ブロックの平均水分量を演算し、得られた平均水分量が予め定めてある飛散防止限界水分量を下回っている場合に、堆積山の表面の当該ブロックに散水することとし、予め、散水後の目標水分量を定めておき、別途求めておいた散水時間と堆積山の水分量上昇量との関係に基づいて、その目標水分量になるように、散水時間を調整して、散水することを特徴とする飛散防止散水方法。
【請求項２】
前記飛散防止限界水分量は、風洞実験での粉塵発生の目視観察の結果に基づいて、堆積山の種類、銘柄、粒度によって設定することを特徴とする請求項１に記載の飛散防止散水方法。
【発明の詳細な説明】
【技術分野】
【０００１】
本発明は、製鉄所、火力発電所、セメント工場等において、屋外に設けられた原料ヤードに堆積された鉄鉱石、石炭等から粉塵が飛散することを防止するための飛散防止散水方法に関するものである。
【背景技術】
【０００２】
通常、製鉄所等においては、屋外に設けられた原料ヤードに鉄鉱石、石炭等を堆積・貯蔵（野積み）するが、その際に、堆積された鉄鉱石等からの粉塵が風によって周辺に飛散して引き起こす発塵公害を防止する必要がある。
【０００３】
堆積された鉄鉱石等（堆積物）から粉塵が飛散するのを防止する方法としては、堆積物の山（堆積山）の表面を薬剤で固化する方法があるが、鉄鉱石等の新たな積み付け毎に薬剤散布が必要なため、積み付け−払い出しを短期間で繰り返す場合は、コスト高になる。
【０００４】
したがって、一般的には、堆積山に散水を行うことによって、堆積物からの粉塵が飛散するのを防止する方法がとられており、それに関する技術がいくつか提案されている。
【０００５】
例えば、特許文献１には、降水量と日射エネルギ量を経時的に測定し、その測定結果等を基に堆積物の表層部の含水率を算出し、算出された含水率が飛散限界値以下である場合に散水を行うという飛散防止散水方法が記載されている。
【０００６】
また、特許文献２には、堆積山をテレビカメラで監視し、得られた画像を演算処理することによって発塵状況を判定し、その判定結果に基づいて散水を行うという飛散防止散水方法が記載されている。
【特許文献１】特開昭６１−２４３７０７号公報
【特許文献２】特開平１−２３６１０５号公報
【発明の開示】
【発明が解決しようとする課題】
【０００７】
しかし、特許文献１、２に記載されている飛散防止散水方法には、以下のような問題がある。
【０００８】
まず、特許文献１に記載の飛散防止散水方法においては、経時的に測定した降水量と日射エネルギ量等から堆積物の表層部の含水率を算出して散水の要否を判断しているが、堆積物の表層部の含水率を日々の降水量と日射エネルギ量等から精度良く算出することは容易ではなく、算定した含水率と実際の含水率とが異なってしまい、その結果、必要な散水がなされずに、粉塵が飛散したり、逆に、過剰に散水をして、堆積物表面の水分量を増加させ、製品の品質に悪影響を与えたりする可能性がある（例えば、コークス強度不足等）。
【０００９】
また、特許文献２に記載の飛散防止散水方法においては、発塵が生じたら散水を行うようにしているので、完全な発塵予防になっていない。しかも、夜間はテレビカメラでの監視が難しく、発塵の検出が困難である。
【００１０】
本発明は、上記のような事情に鑑みてなされたものであり、屋外に堆積された鉄鉱石、石炭等等の堆積物の山（堆積山）から粉塵が飛散することを的確に防止することができる飛散防止散水方法を提供することを目的とするものである。
【課題を解決するための手段】
【００１１】
上記課題を解決するために、本発明は以下の特徴を有する。
【００１２】
［１］屋外に堆積された堆積山に散水することによって堆積山から粉塵が飛散することを防止する飛散防止散水方法であって、水分計によって堆積山の表面の水分量を測定し、測定された水分量が予め定めてある飛散防止限界水分量を下回っている場合に、堆積山に散水することとし、予め、散水後の目標水分量を定めておき、別途求めておいた散水時間と堆積山の水分量上昇量との関係に基づいて、その目標水分量になるように、散水時間を調整して、散水することを特徴とする飛散防止散水方法。
【００１３】
［２］前記飛散防止限界水分量は、風洞実験での粉塵発生の目視観察の結果に基づいて、堆積山の種類、銘柄、粒度によって設定することを特徴とする前記［１］に記載の飛散防止散水方法。
【００１４】
［３］堆積山の表面をブロックに分割し、ブロック毎に水分量を測定して散水することを特徴とする前記［１］または［２］に記載の飛散防止散水方法。
【発明の効果】
【００１５】
本発明においては、水分計によって測定された水分量に基づいて堆積山への散水を行うようにしているので、適切なタイミングで散水がなされ、過剰な散水による製品品質への悪影響を抑止しながら、昼夜をとわず、的確に粉塵の飛散を防止することができる。
【発明を実施するための最良の形態】
【００１６】
本発明の一実施形態を図面に基づいて説明する。
【００１７】
図１は、本発明の一実施形態における飛散防止散水システムの構成を示す図であり、この飛散防止散水システムは、水分センサ（水分計）１１と制御演算装置１２と散水制御装置１３と複数の散水装置１４を備えている。なお、図１中の１０は、鉄鉱石、石炭等等の堆積物の山（堆積山）であり、その堆積山１０の表面は、散水装置１４の散水範囲毎に、ブロックに分割されている。
【００１８】
ここで、水分センサ１１は、非接触方式のものであり、例えば、近赤外線の特定波長の光が水分量（含水率）に比例して吸収される原理を応用した近赤外線式含水率計が用いられている。なお、水分センサ１１には可動装置（図示せず）が取り付けられており、一台で堆積山１０を走査（スキャン）して、各ブロックの水分量データを採取できるようになっている。
【００１９】
そして、制御演算装置１２は、水分センサ１１の動きを制御するとともに、水分センサ１１からの採取データに基づいて、各ブロックの水分量（平均水分量）の演算を行う。そして、得られた水分量が予め定めてある飛散防止限界水分量（例えば、８％）を下回っているブロックがあった場合には、散水制御装置１３に当該ブロックへの散水実施の信号を送るようになっている。
【００２０】
そして、散水制御装置１３は、制御演算装置１２からの信号を受けて、当該ブロックに設置された散水装置１４のバルブの開閉を行って、散水の開始と停止を制御する。
【００２１】
その際に、過剰な散水を行うことがないように、散水後の目標水分量（例えば、１０％）を定めておき、別途求めておいた散水時間と堆積山の水分量上昇量との関係に基づいて、その目標水分量になるように、散水時間（散水開始から散水停止までの時間）を調整して、散水を行う。
【００２２】
なお、上記の飛散防止限界水分量は、風洞実験での粉塵発生の目視観察の結果に基づいて、堆積山の種類（石炭、鉄鉱石等）、銘柄、粒度等によって設定している。
【００２３】
また、上記の散水後目標水分量は、製品の品質に悪影響（例えば、例えば、コークス強度不足、高炉への熱負荷等）を及ぼすことがないように定めた値である。
【００２４】
このように構成された飛散防止散水システムにおいては、以下のようにして飛散防止用の散水を行う。
【００２５】
（１）まず、制御演算装置１２からの指示により、所定時間毎（例えば、３時間毎）に水分センサ１１が堆積山１０の中腹を走査して、堆積山１０の各ブロックの水分量データを採取する。
【００２６】
（２）次に、制御演算装置１２は、採取された水分量データに基づいて、各ブロックの平均水分量の演算を行う。
【００２７】
（３）そして、得られた平均水分量が予め定めてある飛散防止限界水分量（例えば、８％）を下回っているブロックがあった場合には、制御演算装置１２から散水制御装置１３に対して、該当するブロックへの散水実施の信号を送る。
【００２８】
（４）散水制御装置１３からの散水実施の信号を受けた制御演算装置１２は、該当するブロックの散水装置１４のバルブを開いて、該当するブロックへの散水を開始する。
【００２９】
（５）そして、目標水分量（例えば、１０％）になるように定めた散水時間の散水を行ったら、制御演算装置１２は、その散水装置１４のバルブを閉じて、その散水装置１４からの散水を停止する。
【００３０】
（６）以下、上記の（１）〜（５）の手順を繰り返す。
【００３１】
このようにして、この実施形態においては、水分センサ１１によって測定された水分量に基づいて堆積山１０への散水を行うようにしているので、適切なタイミングで散水がなされ、過剰な散水による製品品質への悪影響を抑止しながら、昼夜をとわず、的確に粉塵の飛散を防止することができる。
【実施例】
【００３２】
本発明の実施例について述べる。
【００３３】
ここでは、鉄鉱石の堆積山を対象にして、前述の実施形態に基づいて、飛散防止用の散水を行った。なお、水分量の測定は３時間毎に行い、飛散防止限界水分量は８％、散水後目標水分量は１０％に設定した。
【００３４】
その結果、強風時や夜間においても、堆積山から粉塵が飛散することはなく、発塵を効率的に予防することができた。
【図面の簡単な説明】
【００３５】
【図１】本発明の一実施形態の説明図である。
【符号の説明】
【００３６】
１０  堆積山
１１  水分センサ
１２  制御演算装置
１３  散水制御装置
１４  散水装置
【図１】
0005380769.tif 000002